(57)【要約】【課題】  簡易な構成で、作業現場内の異常発生を作業現場外へ知らせることができる異常報知装置を提供する。【解決手段】  異常報知装置１は、作業現場内における作業者が操作可能な報知スイッチ１０と、報知スイッチ１０と有線で通信可能に接続され、前記作業者の操作により報知スイッチ１０から送信される入力信号に基づいて、作業現場外にて警告を発する異常報知装置本体２とを備え、報知スイッチ１０は、前記作業者の操作に応じて複数種類の入力信号を送信可能に構成されており、異常報知装置本体２は、報知スイッチ１０から送信される複数種類の入力信号のそれぞれに応じた複数種類の出力を発する二層式回転灯３及びスピーカ４を具備している。【選択図】    図２
2011008738.tif 000002
【特許請求の範囲】
【請求項１】
作業現場内における作業者が操作可能な入力部と、
前記入力部と有線で通信可能に接続され、前記作業者の操作により前記入力部から送信される入力信号に基づいて、作業現場外にて警告を発する異常報知装置本体とを備え、
前記入力部は、前記作業者の操作に応じて複数種類の入力信号を送信可能に構成されており、
前記異常報知装置本体は、前記入力部から送信される複数種類の入力信号のそれぞれに応じた複数種類の出力を発する警告出力部を具備する、異常報知装置。
【請求項２】
前記入力部は、前記作業者が押下可能な複数の入力釦を有しており、前記作業者により押下された前記入力釦に応じて前記複数種類の入力信号を送信するように構成されている、請求項１に記載の異常報知装置。
【請求項３】
前記入力部は、前記警告出力部による出力を停止させる停止信号を送信するための停止釦を前記複数の入力釦とは別に有しており、
前記警告出力部は、前記入力部から送信される入力信号に応じた出力を発している場合において、前記入力部から前記停止信号が送信されたときに、前記出力を停止するように構成されている、請求項２に記載の異常報知装置。
【請求項４】
前記警告出力部は、前記複数種類の入力信号のそれぞれに応じて異なる色の光を発するように構成されている、請求項１乃至３の何れかに記載の異常報知装置。
【請求項５】
前記警告出力部は、前記複数種類の入力信号のそれぞれに応じて異なる音を発するように構成されている、請求項１乃至４の何れかに記載の異常報知装置。
【請求項６】
前記作業現場外の空気を吸引して前記作業現場内へ送出する送気と、前記作業現場内の空気を吸引して前記作業現場外へ排出する排気とを行うブロワをさらに備える、請求項１乃至５の何れかに記載の異常報知装置。
【発明の詳細な説明】
【技術分野】
【０００１】
本発明は、マンホール内等の作業現場における異常状態を報知する異常報知装置に関する。
【背景技術】
【０００２】
マンホール内及びタンク内等の作業現場においては、空気中の酸素濃度が低下したり、硫化水素及び一酸化炭素等の有毒ガスが相当量発生したりする等、人体にとって有害な環境が生じ得る。したがって、その作業現場における作業者の保護を図る必要があり、そのために種々の提案がなされている。
【０００３】
例えば特許文献１には、作業現場における作業者をカメラで撮像し、その結果得られた撮像画像に基づいて当該作業者の動作が所定時間停止していると判断した場合に異常が発生したと判定し、ロープを用いて当該作業者を救出する作業監視機能付救出装置が開示されている。
【０００４】
また、特許文献２には、傾斜角度を検知する傾斜センサを用いて作業者が転倒したか否かを判断し、その転倒した状態が所定時間継続した場合に異常が発生したと判定して発報信号を発報する異常発報装置が開示されている。
【０００５】
さらに、特許文献３には、作業者の身体に取り付けた振動センサを用いて作業者の動作が停止したか否かを検出し、その停止した状態が所定時間継続した場合に異常が発生したと判定してその旨を示す信号を無線にて送信する緊急事態監視システムが開示されている。
【０００６】
これらの装置及びシステムによれば、作業者の動作が停止している状態を自動的に検知することができるため、作業現場において有毒ガスが発生したこと等に起因して作業者が動けなくなったとしても、その異常状態を検出することができる。
【先行技術文献】
【特許文献】
【０００７】
【特許文献１】特開２００８−２８７４０８号公報
【特許文献２】特開２００６−１７２４３１号公報
【特許文献３】特開２００４−５４７７８号公報
【発明の概要】
【発明が解決しようとする課題】
【０００８】
しかしながら、上述した従来の装置及びシステムの場合、作業者が動けなくなるまでは異常状態を検出することができないという問題がある。このように作業者が動けなくなるような深刻な事態が生じるよりも前に、異常状態を検出できることが望ましい。
【０００９】
また、異常状態が生じていない場合であっても、作業現場内から作業現場外に対して何らかの通知が必要になる場合がある（例えば、作業現場外にある工具等を作業現場内に導入して欲しい旨を伝える場合等）。そのため、異常状態を作業現場外に警告することに加えて、作業現場内から作業現場外への連絡ができることが望ましい。
【００１０】
本発明は斯かる事情に鑑みてなされたものであり、その主たる目的は、上記課題を解決することができる異常報知装置を提供することにある。
【課題を解決するための手段】
【００１１】
上述した課題を解決するために、本発明の一の態様の異常報知装置は、作業現場内における作業者が操作可能な入力部と、前記入力部と有線で通信可能に接続され、前記作業者の操作により前記入力部から送信される入力信号に基づいて、作業現場外にて警告を発する異常報知装置本体とを備え、前記入力部は、前記作業者の操作に応じて複数種類の入力信号を送信可能に構成されており、前記異常報知装置本体は、前記入力部から送信される複数種類の入力信号のそれぞれに応じた複数種類の出力を発する警告出力部を具備している。
【００１２】
この態様において、前記入力部が、前記作業者が押下可能な複数の入力釦を有しており、前記作業者により押下された前記入力釦に応じて前記複数種類の入力信号を送信するように構成されていてもよい。さらに、この入力部が、前記警告出力部による出力を停止させる停止信号を送信するための停止釦を前記複数の入力釦とは別に有しており、前記警告出力部が、前記入力部から送信される入力信号に応じた出力を発している場合において、前記入力部から前記停止信号が送信されたときに、前記出力を停止するように構成されていてもよい。
【００１３】
また、前記態様の異常報知装置において、前記警告出力部が、前記複数種類の入力信号のそれぞれに応じて異なる色の光を発するように構成されていてもよく、前記複数種類の入力信号のそれぞれに応じて異なる音を発するように構成されていてもよい。
【００１４】
さらに、前記態様の異常報知装置が、前記作業現場外の空気を吸引して前記作業現場内へ送出する送気と、前記作業現場内の空気を吸引して前記作業現場外へ排出する排気とを行うブロワをさらに備えていてもよい。
【発明の効果】
【００１５】
本発明に係る異常報知装置よれば、簡易な構成で、作業現場内で異常状態が発生したことを作業現場外に対して知らせることができる。
【図面の簡単な説明】
【００１６】
【図１】本発明の実施の形態に係る異常報知装置の構成を示す正面図。
【図２】図１の異常報知装置本体の正面カバーを外した場合の異常報知装置の構成を示す正面図。
【図３】本発明の実施の形態に係る異常報知装置本体の構成を示す左側面図。
【図４】本発明の実施の形態に係る異常報知装置の構成を示す機能ブロック図。
【図５】排気を行う場合における本発明の実施の形態に係る異常報知装置の構成を示す模式図。
【図６】送気を行う場合における本発明の実施の形態に係る異常報知装置の構成を示す模式図。
【発明を実施するための形態】
【００１７】
本発明の異常報知装置は、例えばマンホール内等の作業現場において異常状態が発生した場合に、作業現場外に対してその旨を知らせるためのものである。
以下、本発明の好ましい実施の形態を、図面を参照しながら説明する。
【００１８】
［異常報知装置の構成］
図１は、本発明の実施の形態に係る異常報知装置の構成を示す正面図である。図１に示すように、異常報知装置１は、直方体状の筐体で構成される異常報知装置本体（以下、単に「本体」という）２と、本体２から垂下したケーブル１１の下端に取り付けられたペンダントスイッチである報知スイッチ１０とを備えている。
【００１９】
本体２には、作業者に対して警告を発するための回転灯で構成された二層式回転灯３と、同じく警告を発するためのスピーカ４とが設けられている。
【００２０】
この本体２の正面中央部の右側及び左側には、本体２の内部と外部とを連通する断面円形状の孔が形成されており、後述するブロワが具備する吸気用管部５及び送気用管部５１がこれらの孔からそれぞれ突出している。
【００２１】
また、本体２の左側面の上部には排気孔（図示せず）が形成されており、その排気孔と対向する位置には、マンホール内の作業現場における空気を吸引して本体２の外部へ排出する際に当該空気中の粉塵等を捕集するためのフィルタ８が設けられている。また、本体２の背面の中央部には吸気孔（図示せず）が形成されており、その吸気孔と対向する位置には、本体２の外部の空気を吸引してマンホール内の作業現場へ送る際に当該空気中の粉塵等を捕集するためのフィルタ９が設けられている。これらのフィルタ８及び９は、例えば光触媒フィルタ等で構成されている。
【００２２】
なお、本体２の底面の四隅には、車輪７（４つの車輪７のうち２つは図示せず）が設けられている。また、本体２の左右両側面の上部には、作業者が把持することが可能な取っ手部２１が配設されている。これらの車輪７及び取っ手部２１を用いることにより、異常報知装置１を所望の場所に容易に移動させることができる。
【００２３】
二層式回転灯３は、赤色光を発するＬＥＤ（発光ダイオード）を備える第１回転灯３Ａと緑色光を発するＬＥＤを備える第２回転灯３Ｂとが積層されて構成されている。後述するように、上側に位置する第１回転灯３Ａは作業現場内で異常状態が発生した場合に作動し、下側に位置する第２回転灯３Ｂは作業現場内から作業現場外に対して連絡事項がある場合に作動する。
【００２４】
報知スイッチ１０には、作業現場内において異常状態が発生した場合に押下される非常釦１０Ａと、作業現場外にいる作業者と連絡をとる場合に押下される連絡釦１０Ｂと、二層式回転灯３及びスピーカ４の動作を停止する場合に押下される停止釦１０Ｃとが設けられている。非常釦１０Ａが押下された場合には異常発生信号が、連絡釦１０Ｂが押下された場合には連絡発生信号が、停止釦１０Ｃが押下された場合には停止指示信号がそれぞれ生成され、生成された各信号が報知スイッチ１０から本体２へ送信される。
【００２５】
なお、本実施の形態では、報知スイッチ１０に設けられるスイッチが押し釦で構成されているが、本発明はこれに限定されるわけではなく、レバースイッチまたはスライドスイッチ等の他の形状のスイッチであってもよい。
【００２６】
図２は、図１の本体２の正面カバーを外した場合の異常報知装置１の構成を示す正面図である。また、図３は、本体２の構成を示す左側面図である。
図２に示すように、本体２の内部には仕切壁によって２つの収容スペース６０Ａ及び６０Ｂが形成されている。
【００２７】
収容スペース６０Ａ及び６０Ｂには、排気及び送気の何れにも用いられるブロワ７１が配設されている。このブロワ７１は、本体２の外部とブロワ７１の内部とを連通する吸気用管部５、及び収容スペース６０Ｂ内とブロワ７１の内部とを連通する通流管７２を備えている。なお、収容スペース６０Ａと６０Ｂとの間の仕切壁には貫通孔が形成されており、通流管７２はその貫通孔を介し収容スペース６０Ａから収容スペース６０Ｂに向けて突設されている。
【００２８】
通流管７２のうち収容スペース６０Ｂ内に位置する部分は、蛇腹状となっており、任意の角度で折り曲げ可能な構成となっている。通流管７２は、その先端部の外周部がフランジ部５２に嵌合されることにより、送気用管部５１と接続される。
【００２９】
この通流管７２の先端部とフランジ部５２とは着脱可能になっている。通流管７２の先端部がフランジ部５２から外されるとき、当該先端部は収容スペース６０Ｂ内に設けられている受け台５４に固定される。この受け台５４は、円環状の基体５４Ａと、当該基体５４Ａの下方に延びる３本の棒状の脚５４Ｂとを備えており、通流管７２の先端部の外周部が基体５４Ａに嵌合されることによって通流管７２が受け台５４に固定される。
【００３０】
また、収容スペース６０Ｂ内には、送気用管部５１の孔を塞ぐためのキャップ５３が収容されている。後述するとおり、排気を行う場合、キャップ５３をフランジ部５２に嵌合することにより送気用管部５１の孔が塞がれる。これにより、通流管７２を介して収容スペース６０Ｂ内に排出される空気が送気用管部５１から本体２の外へ漏れることを防止することができる。
【００３１】
ブロワ７１は、その内部に送風ファン（図示せず）と当該送風ファンを駆動する駆動部（図示せず）とを備えている。そして、通流管７２の先端部が受け台５４に固定され、且つキャップ５３によって送気用管部５１の孔が塞がれている場合は、この駆動部が送風ファンを回転させることにより、吸気用管部５を介して本体２の外部の空気を吸引し、その吸引した空気を通流管７２を介して収容スペース６０Ｂ内へ排出することができる。収容スペース６０Ｂ内に排出された空気は、フィルタ８により粉塵等が除去された後に、本体２の外部へ排出される。このため、収容スペース６０Ｂは、ダストボックスとして機能する。
【００３２】
これに対し、通流管７２の先端部がフランジ部５２を介して送気用管部５１と接続されている場合は、駆動部が送風ファンを回転させることにより、吸気用管部５を介して本体２の外部の空気を吸引し、その吸引した空気を送気用管部５１を介して本体２の外部へ送出することができる。
【００３３】
本実施の形態では、上述したように送気及び排気を一つのブロワ７１により行っているが、例えば送気専用のブロワと排気専用のブロワとを設けて、送気及び排気を別々のブロワにより行うような構成にしてもよい。
【００３４】
本体２内の空きスペースは、種々の構成要素の収容部として機能する。例えば、当該空きスペースに、電源コード及び作業に必要な工具等を収容するようにしてもよい。また、二層式回転灯３を、本体２の上面に脱着可能な構成とした場合では、本体２の上面から取り外された二層式回転灯３を当該空きスペースの適宜の箇所に収容するようにしてもよい。
【００３５】
図４は、本実施の形態に係る異常報知装置１の構成を示す機能ブロック図である。図４に示すとおり、異常報知装置は、制御部１００と、当該制御部１００に接続された第１回転灯３Ａ、第２回転灯３Ｂ、スピーカ４、ブロワ７１、入力部１０１及び通信部１０２とを備えている。これらの第１回転灯３Ａ、第２回転灯３Ｂ、スピーカ４、ブロワ７１、入力部１０１及び通信部１０２は、制御部１００によってその動作が制御される。
【００３６】
入力部１０１は、各種のスイッチ及びキー等によって構成されており、例えばブロワ７１の動作を開始／停止させるために操作される。また、通信部１０２は、ケーブル１１を介して報知スイッチ１０と接続されており、報知スイッチ１０から送信される各種の入力信号を制御部１００に対して伝達する入力インタフェースとして機能する。
【００３７】
制御部１００は、報知スイッチ１０から送信される各種の入力信号を、通信部１０２を介して取得した場合に、その入力信号の内容に応じて第１回転灯３Ａ、第２回転灯３Ｂ及びスピーカ４を作動させる。具体的には、入力信号が異常発生信号である場合には第１回転灯３Ａを作動させるとともに、ブザー音及び「異常発生です。救助して下さい。」等の緊急状態を知らせる音声をスピーカ４に出力させる。また、入力信号が連絡発生信号である場合には第２回転灯３Ｂを作動させるともに、メロディ音及び「業務連絡があります。」等の注意を促す音声をスピーカ４に出力させる。他方、第１回転灯３Ａ及び第２回転灯３Ｂの何れかが動作しており且つスピーカ４から音が出力されている場合において、入力信号として停止指示信号を受け取った場合には、動作している回転灯を停止させるとともに、スピーカ４の出力を停止させる。
【００３８】
［使用状態における異常報知装置］
図５は、排気を行う場合における本実施の形態に係る異常報知装置の構成を示す模式図である。また、図６は、送気を行う場合における同じく異常報知装置の構成を示す模式図である。
【００３９】
図５に示すとおり、排気を行う場合は、ブロワ７１の吸気用管部５と接続されたホース８０がマンホール４２内に導入される。このとき、通流管７２はフランジ部５２を介して送気用管部５１に接続される。この状態において、作業現場外４０にいる作業者により入力部１０１が操作されることによってブロワ７１内の送風ファンが回転し始めると、ホース８０及び吸気用管部５を介して作業現場内４１における空気がブロワ７１内に吸引され、その後通流管７２及びフィルタ８を介して本体２の外部へ排出される。これにより、汚染された空気が作業現場内４１から排出されることになる。
【００４０】
また、図６に示すとおり、送気を行う場合は、ブロワ７１の送気用管部５１と接続されたホース８０がマンホール４２内に導入される。このとき、図示はしないが、ブロワ７１の通流管７２の孔がキャップ５３によって塞がれる。このように通流管７２の孔が塞がれた状態において、作業現場外４０にいる作業者により入力部１０１が操作されることによってブロワ７１内の送風ファンが回転し始めると、吸気用管部５を介して作業現場外４０における空気がブロワ７１内に吸引され、その後送気用管部５１及びホース８０を介して作業現場内４１へ送出される。これにより、作業現場外４０の新鮮な空気が作業現場内４１に送り込まれることになる。
【００４１】
以上のとおり、本実施の形態では、ブロワ７１が送気及び排気の両方を実現することにより、作業現場内４１における汚染空気の排出及び作業現場内４１への新鮮な空気の送出を実現することができる。
【００４２】
上述したようにして送気及び排気が行われた後、または行われている中で、作業現場内４１の作業者は各種の作業を実行する。そして、作業中に、空気中の酸素濃度の低下または有毒ガスの発生等に起因する異常を感知した場合、作業現場内４１にいる作業者は、報知スイッチ１０の非常釦１０Ａを押下する。これにより、作業現場外４０に配置されている本体２に対して報知スイッチ１０から異常発生信号が送信される。その結果、本体２の第１回転灯３Ａが作動するとともにスピーカ４からブザー音及び緊急状態を知らせる音声が発せられることによって、作業現場外４０に警告が発せられる。
【００４３】
上記のとおり、作業現場内４１にいる作業者が報知スイッチ１０の非常釦１０Ａを押下した場合、その押下した状態を保持しなくても、二層式回転灯３及びスピーカ４は作動し続ける。これにより、例えば作業者が釦を押下した後に、体を動かすことができなくなる状態に陥ったとしても、作業現場外４０に対して警告を発している状態を継続させることができる。
【００４４】
また、作業中において、作業現場外４０に置いてある工具を持ってきて欲しい等の連絡を作業現場外４０にいる作業者に対して伝える場合、作業現場内４１にいる作業者は、報知スイッチ１０の連絡釦１０Ｂを押下する。これにより、報知スイッチ１０から連絡発生信号が本体２に対して送信される。その結果、本体２の第２回転灯３Ｂが作動するとともにスピーカ４からメロディ音及び注意を促す音声が発せられることによって、作業現場内４１内にいる作業者から何らかの連絡があることが作業現場外４０に知らされる。この場合、作業現場外４０にいる作業者は、マンホール４２内に向けて声を掛ける等によって、作業現場内４１にいる作業者との連絡を図る。
【００４５】
このように、本実施の形態の異常報知装置１では、報知スイッチ１０から複数種類の異なる入力信号が送信されてきた場合に、それぞれの違いを識別することができるような態様で出力を行うことによって、異常状態の発生以外の事項についても作業現場外４０にいる作業者に対して知らせることができる。
【００４６】
上記のとおり、作業現場内４１にいる作業者が報知スイッチ１０の連絡釦１０Ｂを押下した場合、その押下した状態を保持しなくても、二層式回転灯３及びスピーカ４は作動し続ける。これにより、作業現場内４１にいる作業者は、繰り返し連絡釦１０Ｂを押下するような煩わしい作業を行うことなく、作業現場外４０にいる作業者との連絡を確実に行うことができる。
【００４７】
このように、作業現場内４１にいる作業者が報知スイッチ１０の非常釦１０Ａまたは連絡釦１０Ｂを押下することにより二層式回転灯３及びスピーカ４が作動している場合において、異常状態が解消されたり連絡事項がなくなったりしたときは、当該作業者は報知スイッチ１０の停止釦１０Ｃを押下する。これにより、報知スイッチ１０から停止指示信号が本体２に対して送信される。その結果、本体２における二層式回転灯３及びスピーカ４の動作が停止し、本体２は報知スイッチ１０からの入力信号を待機する状態になる。ここで、再度報知スイッチ１０から異常発生信号または連絡発生信号が送信されてきた場合は、本体２が上記と同様に動作することによって二層式回転灯３及びスピーカ４が作動することになる。
【００４８】
本実施の形態の異常報知装置１の場合、本体２と報知スイッチ１０とが有線で通信することになるため、無線で通信する場合と比べてより確実に異常発生等を作業現場外４０に知らせることができる。
【００４９】
また、本実施の形態の異常報知装置１の場合、送気及び排気を行うブロワ７１を備えているため、別途ブロワ等の装置を用意することなく、マンホール内等での作業を行うことができる。
【００５０】
なお、上述した実施の形態では、報知スイッチ１０から送信される入力信号に応じて、二層式回転灯３及びスピーカ４の両方を作動しているが、本発明はこれに限定されるわけではなく、何れか一方のみが作動するような構成であってもよい。
【００５１】
また、二層式回転灯３の代わりに、三層以上の回転灯から構成される多層式回転灯を設けて、３色以上の光の中から特定の色の光を発するような構成であってもよい。さらに、スピーカ４から出力される音についても、本実施の形態では２パターンのうちの何れかを出力するように構成されているが、３パターン以上の音から特定のパターンのものを出力するようにしてもよい。このような構成にすることによって、３種類以上の異なる出力を行うことが可能になる。この場合、釦の数を増やす等によって３種類以上の異なる入力信号を本体２に送信できるように報知スイッチ１０を構成することが好ましい。
【産業上の利用可能性】
【００５２】
本発明の異常報知装置は、マンホール内等の作業現場にて作業を行う作業者が、作業現場外に対して異常状態が発生したことを知らせる異常報知装置などとして有用である。
【符号の説明】
【００５３】
１  異常報知装置
２  本体
３  二層式回転灯
３Ａ  第１回転灯
３Ｂ  第２回転灯
４  スピーカ
５  吸気用管部
７  車輪
８、９  フィルタ
１０  報知スイッチ
１０Ａ  非常釦
１０Ｂ  連絡釦
１０Ｃ  停止釦
１１  ケーブル
２１  取っ手部
５１  送気用管部
５２  フランジ部
５３  キャップ
５４  受け台
６０Ａ、６０Ｂ  収容スペース
７１  ブロワ
７２  通流管
８０  ホース
１００  制御部
１０１  入力部
１０２  通信部
【図１】
2011008738.tif 000003
【図２】
2011008738.tif 000004
【図３】
2011008738.tif 000005
【図４】
2011008738.tif 000006
【図５】
2011008738.tif 000007
【図６】
2011008738.tif 000008